(57)【要約】【課題】複数の電波信号のうち、受信状態が最も良好な電波信号を選択し、かつ、小型化が可能なダイバーシティ装置を提供する。【解決手段】電波信号を受信する複数のアンテナ１０と、各入力端子１０が受信したそれぞれの電波信号の信号レベルを、増幅する複数のフロントエンド回路１１ａ〜１１ｎと、を備え、上記フロントエンド回路１１ａ〜１１ｎからのＩＦ信号１６の所望の信号レベルが予め定められた、ダイバーシティ装置であって、上記フロントエンド回路１１ａ〜１１ｎにおける各々の第１の増幅率を比較する制御部１４と、上記制御部１４の比較結果に基づき、上記フロントエンド回路１１ａ〜１１ｎのうち、上記第１の増幅率が最も小さいフロントエンド回路１１ａ〜１１ｎからのＩＦ信号１６を、選択するスイッチ１２と、をさらに備えている。【選択図】図１
2009060178.tif 000002
【特許請求の範囲】
【請求項１】
電波信号を受信する複数の入力端子と、
上記各入力端子が受信したそれぞれの電波信号の信号レベルを、増幅する複数の信号変換手段と、を備え、
上記各信号変換手段からの出力信号の所望の信号レベルが予め定められた、ダイバーシティ装置であって、
上記各信号変換手段における各々の第１の増幅率を比較する比較手段と、
上記比較手段の比較結果に基づき、上記複数の信号変換手段のうち、上記第１の増幅率が最も小さい信号変換手段からの出力信号を、選択する選択手段と、をさらに備えていることを特徴とするダイバーシティ装置。
【請求項２】
上記各信号変換手段から出力される各出力信号の信号レベルを検出するレベル検出手段と、
上記各出力信号の信号レベルを比較する、レベル比較手段と、をさらに備え、
上記各信号変換手段における各々の第１の増幅率が、全て同じ値である場合、
上記選択手段は、上記レベル比較手段の比較結果に基づき、上記複数の信号変換手段からの出力信号のうち、上記信号レベルが最も大きい出力信号を選択することを特徴とする、請求項１に記載のダイバーシティ装置。
【請求項３】
上記各信号変換手段から出力される各出力信号を、上記所望の信号レベルに増幅する複数の増幅手段と、
上記各増幅手段における各々の第２の増幅率を比較する増幅率比較手段と、をさらに備え、
上記各信号変換手段における各々の第１の増幅率が、全て同じ値である場合、
上記選択手段は、上記増幅率比較手段の比較結果に基づき、上記複数の増幅手段のうち、上記第２の増幅率が最も小さい増幅手段によって増幅された出力信号を、選択することを特徴とする、請求項１に記載のダイバーシティ装置。
【請求項４】
上記選択手段により選択された出力信号を、デジタル信号に復調する第１の復調手段を備えていることを特徴とする、請求項１から３までのいずれか１項に記載のダイバーシティ装置。
【請求項５】
上記第１の復調手段により復調されたデジタル信号を記憶する、記憶手段を備えたことを特徴とする請求項４に記載のダイバーシティ装置。
【請求項６】
上記選択手段は、上記出力信号とは異なる別の出力信号をさらに選択し、
上記選択手段により選択された上記別の出力信号を、デジタル信号に復調する第２の復調手段と、をさらに備え、
上記選択手段は、上記比較手段の比較結果に基づき、上記複数の信号変換手段のうち、上記第１の増幅率が２番目に小さい信号変換手段からの出力信号を、上記別の出力信号として、選択することを特徴とする、請求項５に記載のダイバーシティ装置。
【請求項７】
上記信号変換手段は、
上記電波信号を周波数変換および増幅することによって、上記出力信号として中間周波数信号を出力することを特徴とする、請求項１から６までのいずれか１項に記載のダイバーシティ装置。
【請求項８】
上記信号変換手段は、
上記電波信号を、互いに９０度の位相差を有するＩ信号およびＱ信号に変換し、かつ、増幅することによって、上記出力信号として、上記Ｉ信号および上記Ｑ信号からなるベースバンド信号を出力することを特徴とする、請求項１から６までのいずれか１項に記載のダイバーシティ装置。
【発明の詳細な説明】
【技術分野】
【０００１】
本発明は、受信した複数の電波信号より、最も受信状態の良い電波信号を選択可能なダイバーシティ装置に関する。
【背景技術】
【０００２】
近年、カーナビゲーション装置の普及に伴い、車載用の地上波デジタル放送受信装置として、走行中においても良好な受信状態の放送信号を受信するための、ダイバーシティ装置の開発が進んでいる。
【０００３】
例えば、特許文献１において、複数のアンテナが受信した各々の放送信号を、周波数変換して中間周波数信号を生成し、さらに中間周波数信号を復調することにより、各アンテナが受信した各々の放送信号に対応した複数の受信信号を生成すると共に、上記各中間周波数信号におけるＣＮ比（Ｃａｒｒｉｅｒ  ｔｏ  Ｎｏｉｓｅ  Ｒａｔｉｏ）を比較し、この比較結果に基づき、複数の受信信号のうち、受信状態が最も良好なアンテナからの受信信号を選択するダイバーシティ装置が開示されている。
【０００４】
また、特許文献２において、複数のアンテナが受信した各々の放送信号を、周波数変換することにより、各放送信号に対応した複数の中間周波数信号を生成し、該中間周波数信号の各々に対して、信号レベルおよび位相を調整した後、それぞれの中間周波数信号を加算することによって、ＣＮ比が大きい中間周波数信号を生成するダイバーシティ装置が開示されている。
【特許文献１】特開平６−２３７１９６号公報（平成６年８月２３日公開）
【特許文献２】特開２００４−２９７３２０号公報（２００４年１０月２１日公開）
【発明の開示】
【発明が解決しようとする課題】
【０００５】
しかしながら、特許文献１に開示されたダイバーシティ装置においては、各中間周波数信号のＣＮ比を検出する複雑な回路が必要となるため、ダイバーシティ装置を小型化できないという問題がある。さらに、各中間周波数信号を復調した複数の受信信号から、受信状態が最も良好なアンテナに対応する受信信号を選択しているため、複数の中間周波数信号ごとに対応する複数の復調回路、言い換えれば、アンテナの数と同数の復調回路を備える必要がある。このため、特許文献１においては、ダイバーシティ装置をさらに小型化できないという問題を有する。
【０００６】
また、特許文献２に開示されたダイバーシティ装置においては、複数の中間周波数信号の信号レベルおよび位相を調整し、調整後の複数の中間周波数信号を加算して、１つの中間周波数信号を生成する構成であるため、中間周波数信号を復調する復調回路は１つでよい。しかしながら、複数の中間周波数信号の位相を調整するための回路（移相手段）を、各中間周波数信号ごとに備える必要があるため、特許文献２においても、ダイバーシティ装置を小型化できないという問題がある。さらには、特許文献２に開示されたダイバーシティ装置は、アンテナが受信したすべての放送信号の状態の変動に影響を受け、必ずしも加算された中間周波数信号は、最大のＣＮ比になるとは限らないという問題を有する。
【０００７】
本発明は、上記問題に鑑みてなされたものであり、その目的は、複数の電波信号のうち、受信状態が最も良好な電波信号を選択し、かつ、小型化が可能なダイバーシティ装置を提供することにある。
【課題を解決するための手段】
【０００８】
本発明に係るダイバーシティ装置は、上記の課題を解決するために、
電波信号を受信する複数の入力端子と、上記各入力端子が受信したそれぞれの電波信号の信号レベルを、増幅する複数の信号変換手段と、を備え、上記各信号変換手段からの出力信号の所望の信号レベルが予め定められた、ダイバーシティ装置であって、上記各信号変換手段における各々の第１の増幅率を比較する比較手段と、上記比較手段の比較結果に基づき、上記複数の信号変換手段のうち、上記第１の増幅率が最も小さい信号変換手段からの出力信号を、選択する選択手段と、をさらに備えていることを特徴とする。
【０００９】
上記の構成よれば、各信号変換手段は、各入力端子が受信した各電波信号の信号レベルを、増幅する。さらに、各信号変換回路における各第１の増幅率を制御部が比較し、この比較結果に基づき、第１の増幅率が最も小さい信号変換回路より出力される出力信号を、選択手段が選択する。
【００１０】
ここで、各信号変換回路が出力する出力信号の信号レベルについて、予め所望の信号レベルが定められている。したがって、入力端子が受信した電波信号の信号レベルが、特定の信号レベル以上であれば、電波信号の信号レベルの大きさに関らず、各信号変換手段が出力する各出力信号の信号レベルは同じとなる。なお、ここで、電波信号の信号レベルが、特定の信号レベル以上であることとは、一般的に信号変換手段には増幅できる限界、つまり、最大増幅率が存在するため、信号変換手段が増幅する電波信号を、所望の信号レベルに増幅するためには、電波信号の信号レベルは、最低限の信号レベルが必要であることを示す。
【００１１】
以上より、各信号変換回路における第１の増幅率が小さければ小さいほど、入力端子が受信した電波信号の信号レベルは大きいことになる。さらに、電波信号の信号レベルが大きければ大きいほど、入力端子が受信した電波信号の受信状態は良好となる。これは、入力端子に到達する電波の電界強度が強ければ強いほど、電波信号の信号レベルは大きくなることに起因する。結果、本発明のダイバーシティ装置は、各信号変換手段における各第１の増幅率を比較し、第１の増幅率が最も小さい信号変換手段からの出力信号を選択するため、最も受信状態が良好な入力端子が受信した電波信号を選択していることになる。
【００１２】
また、本発明のダイバーシティ装置においては、比較手段が、各信号変換手段における第１の増幅率を比較し、選択手段を制御する構成であるため、比較手段を汎用的な回路、言い換えれば、単純な論理回路等によって構成することができる。結果、本発明のダイバーシティ装置は、入力端子が受信した電波信号や信号変換手段からの出力信号のＣＮ比を検出および比較するような、複雑な回路を備える必要がないため、小型化が可能となる。
【００１３】
以上のように、本発明のダイバーシティ装置は、複数の電波信号のうち、受信状態が最も良好な電波信号を選択し、かつ、小型化が可能であるという効果を奏する。
【００１４】
本発明に係るダイバーシティ装置は、さらに、
上記各信号変換手段から出力される各出力信号の信号レベルを検出するレベル検出手段と、上記各出力信号の信号レベルを比較する、レベル比較手段と、をさらに備え、上記各信号変換手段における各々の第１の増幅率が、全て同じ値である場合、上記選択手段は、上記レベル比較手段の比較結果に基づき、上記複数の信号変換手段からの出力信号のうち、上記信号レベルが最も大きい出力信号を選択することが好ましい。
【００１５】
まず、各入力端子が受信した全ての電波信号の信号レベルが、上述したように、特定の信号レベル以下であった場合、つまり、信号変換手段が所望の信号レベルまで増幅できない信号レベルであった場合、各信号変換手段における第１の増幅率は全て最大となる、言い換えれば、全て同じ値となる。このとき、各信号変換手段が出力する各出力信号の信号レベルは、予め定められた所望の信号レベル以下であり、かつ、増幅前の電波信号の信号レベルに比例して、それぞれ異なる値となる。
【００１６】
ここで、上記の構成によれば、本発明に係るダイバーシティ装置は、上記各信号変換手段における各々の第１の増幅率が、全て同じ値である場合、各信号変換手段が出力する出力信号の信号レベルを検出および比較し、信号レベルが最も大きい出力信号を選択している。また、各信号変換手段における第１の増幅率は、全て最大の増幅率によって増幅していることから、信号レベルが最も大きい出力信号とは、最も信号レベルが大きい電波信号を増幅したものとなる。
【００１７】
したがって、既に述べたように、最も信号レベルが大きい電波信号とは、最も受信状態が良好な入力端子が受信した電波信号であることから、上記構成を備えた本発明のダイバーシティ装置は、全ての電波信号の信号レベルが、信号変換手段が所望の信号レベルまで増幅できない特定の信号レベル以下となる場合においても、最も受信状態が良好な入力端子が受信した電波信号を選択できるという効果を奏する。
【００１８】
本発明に係るダイバーシティ装置は、さらに、
上記各信号変換手段から出力される各出力信号を、上記所望の信号レベルに増幅する複数の増幅手段と、上記各増幅手段における各々の第２の増幅率を比較する増幅率比較手段と、をさらに備え、上記各信号変換手段における各々の第１の増幅率が、全て同じ値である場合、上記選択手段は、上記増幅率比較手段の比較結果に基づき、上記複数の増幅手段のうち、上記第２の増幅率が最も小さい増幅手段によって増幅された出力信号を、選択することが好ましい。
【００１９】
まず、すでに説明したように、各入力端子が受信した全ての電波信号の信号レベルが、信号変換手段が所望の信号レベルまで増幅できない信号レベルであった場合、各信号変換手段における増幅率は全て同じ値となる。
【００２０】
上記構成によれば、本発明のダイバーシティ装置は、各信号変換手段が出力する各出力信号を、所望の信号レベルに増幅する複数の増幅手段を備えている。さらに、各信号変換手段における各々の第１の増幅率が、全て同じ値である場合、上記複数の増幅手段における各々の第２の増幅率を比較し、第２の増幅率が最も小さい増幅手段によって増幅された出力信号を選択する。
【００２１】
このとき、各増幅手段は、各信号変換手段からの出力信号を、所望の信号レベルに増幅するものであることから、第２の増幅率が最も小さい増幅手段によって増幅された出力信号とは、各信号変換手段が出力した複数の出力信号のうち、最も信号レベルが大きい出力信号を増幅したものである。さらには、各信号変換手段における第１の増幅率は、全て最大の増幅率によって増幅していることから、信号レベルが最も大きい出力信号とは、最も信号レベルが大きい電波信号を増幅したものとなる。また、最も信号レベルが大きい電波信号とは、最も受信状態が良好な入力端子が受信した電波信号であることは、既に述べたとおりである。
【００２２】
以上より、上記構成を備えた本発明のダイバーシティ装置は、全ての電波信号の信号レベルが、信号変換手段が所望の信号レベルまで増幅できない特定の信号レベル以下となる場合においても、最も受信状態が良好な入力端子が受信した電波信号を選択できるという効果を奏する。
【００２３】
本発明に係るダイバーシティ装置は、さらに、
上記選択手段により選択された出力信号を、デジタル信号に復調する第１の復調手段を備えていることが好ましい。
【００２４】
上記構成によれば、上記第１の復調手段は、選択手段による選択後の出力信号を復調するものである。したがって、ダイバーシティ装置は、選択された１つの出力信号を復調するための１つの第１の復調手段を備えておればよく、選択手段により選択されない出力信号を復調するための復調手段、言い換えれば、各入力端子の数と同数の復調手段を備える必要がない。したがって、上記構成を備えるダイバーシティ装置は、より小型化が可能になるという効果を奏する。
【００２５】
本発明に係るダイバーシティ装置は、さらに、
上記第１の復調手段により復調されたデジタル信号を記憶する、記憶手段を備えたことが好ましい。
【００２６】
まず、各入力端子の受信状態が変化し、選択手段が選択する出力信号が切り替わった場合、第１の復調手段によって、この出力信号を復調して生成されたデジタル信号には、データの途切れが発生する。
【００２７】
ここで、上記構成を備えたことにより、第１の復調手段により復調されたデジタル信号に、データの途切れが発生したとしても、記憶手段が記憶するデジタル信号を、データ途切れに対応するデジタル信号として割り当てることにより、結果、記憶手段より出力されるデジタル信号は、データ途切れがない安定したデジタル信号になるという効果を奏する。
【００２８】
本発明に係るダイバーシティ装置は、さらに、
上記選択手段は、上記出力信号とは異なる別の出力信号をさらに選択し、上記選択手段により選択された上記別の出力信号を、デジタル信号に復調する第２の復調手段と、をさらに備え、上記選択手段は、上記比較手段の比較結果に基づき、上記複数の信号変換手段のうち、上記第１の増幅率が２番目に小さい信号変換手段からの出力信号を、上記別の出力信号として、選択することが好ましい。
【００２９】
まず、すでに述べたとおり、信号変換手段における第１の増幅率が小さくなればなるほど、当該信号変換手段が入力した電波信号の受信状態は良好であることになる。したがって、第１の増幅率が２番目に小さい信号変換手段が入力した電波信号は、２番目に受信状態が良好な電波信号となる。
【００３０】
ここで、上記構成を備えたことにより、最も受信状態が良好な電波信号だけでなく、２番目に受信状態が良好な電波信号が、選択手段によってさらに選択され、第２の復調手段によってデジタル信号に復調されることになる。
【００３１】
このように、最も受信状態が良好な入力端子が受信した電波信号と、２番目に受信状態が良好な入力端子が受信した電波信号とに対応する、２つのデジタル信号を生成することにより、次のような効果を奏する。まず、最も受信状態が良好であった入力端子の受信状態が悪化し、選択手段が選択する出力信号が切り替わり、第１の復調手段によって復調されたデジタル信号に、データ途切れが発生したとしても、第２の復調手段によって復調されたデジタル信号を、データ途切れに対応するデジタル信号として割り当てることができ、結果、ダイバーシティ装置は、データ途切れのない安定したデジタル信号を出力できる。
【００３２】
本発明に係るダイバーシティ装置は、さらに、
上記信号変換手段は、上記電波信号を周波数変換および増幅することによって、上記出力信号として中間周波数信号を出力することが好ましい。
【００３３】
上記の構成によれば、信号変換手段において、上記電波信号を周波数変換および増幅し、中間周波数信号を生成しており、他の信号に電波信号を変換および増幅する場合に比べ、信号変換手段の回路構成は簡易になるという効果を奏する。
【００３４】
本発明に係るダイバーシティ装置は、さらに、
上記信号変換手段は、上記電波信号を、互いに９０度の位相差を有するＩ信号およびＱ信号に変換し、かつ、増幅することによって、上記出力信号として、上記Ｉ信号および上記Ｑ信号からなるベースバンド信号を出力することが好ましい。
【００３５】
上記構成によれば、信号変換手段は、電波信号を他の信号に変換せず、直接、Ｉ信号およびＱ信号からなるベースバンド信号に変換し増幅する。これにより、電波信号を一度、他の信号に変換する場合に比べ、信号変換手段が出力するベースバンド信号において、隣接するチャンネルの電波信号や、妨害波の影響を受けることを低減する効果がある。
【発明の効果】
【００３６】
本発明のダイバーシティ装置は、以上のように、電波信号を受信する複数の入力端子と、上記各入力端子が受信したそれぞれの電波信号の信号レベルを、増幅する複数の信号変換手段と、を備え、上記各信号変換手段からの出力信号の所望の信号レベルが予め定められた、ダイバーシティ装置であって、上記各信号変換手段における各々の第１の増幅率を比較する比較手段と、上記比較手段の比較結果に基づき、上記複数の信号変換手段のうち、上記第１の増幅率が最も小さい信号変換手段からの出力信号を、選択する選択手段と、をさらに備えている。
【００３７】
したがって、複数の電波信号のうち、受信状態が最も良好な電波信号を選択し、かつ、小型化が可能なダイバーシティ装置をを提供できる。
【発明を実施するための最良の形態】
【００３８】
以下、本発明に係る実施の形態を図面に基づいて説明する。
【００３９】
〔実施形態１〕
本発明の第１の実施形態について、図１および図２を参照して以下に説明する。
【００４０】
（ダイバーシティ装置１の構成）
まず、本実施形態に係るダイバーシティ装置１の構成について、図１を参照して以下に説明する。図１は、本発明の一実施形態に係るダイバーシティ装置１の基本的な構成を示すブロック図である。
【００４１】
同図に示すように、ダイバーシティ装置１は、複数のアンテナ１０ａ〜１０ｎ（以下、総称する場合はアンテナ１０とする）と、各アンテナ１０（入力端子）の各々が受信した放送信号（電波信号）を、それぞれ増幅および周波数変換して複数の中間周波数信号１６ａ〜１６ｂ（以下、ＩＦ信号１６ａ〜１６ｎとする、さらに、総称する場合はＩＦ信号１６とする）を出力するフロントエンド部１１と、各放送信号に対応したＩＦ信号１６ａ〜１６ｎを入力するスイッチ１２（選択手段）と、スイッチ１２からのＩＦ信号１６をデジタル復調する、ＯＦＤＭ復調回路１５（第１の復調手段）を備えるデジタル復調部１３と、スイッチ１２を制御する制御部１４（比較手段）とを備えている。
【００４２】
また、フロントエンド部１１は、各アンテナ１０（入力端子）が受信した放送信号の各々を、増幅および周波数変換し、ＩＦ信号１６ａ〜１６ｎを出力するフロントエンド回路１１ａ〜１１ｎ（信号変換手段）を備えている。
【００４３】
（ダイバーシティ装置１の動作）
以下に、ダイバーシティ装置１の動作を、図１を参照して説明する。
【００４４】
まず、アンテナ１０ａが受信した放送信号を、フロントエンド部１１内のフロントエンド回路１１ａが入力する。フロントエンド回路１１ａは、入力した放送信号を周波数変換し、さらに、周波数変換後の信号を、自身が備えるＲＦ−ＡＧＣ（Radio  Frequency  Auto  Gain  Control）によって、予め定められた所望の信号レベルに増幅する。さらにフロントエンド回路１１ａは、周波数変換および増幅後のＩＦ信号１６ａをスイッチ１２に出力する。同様に、フロントエンド回路１１ｂ〜１１ｎも、アンテナ１１ｂ〜１１ｎが受信した各放送信号を、周波数変換および増幅を行い、ＩＦ信号１６ｂ〜１６ｎを、スイッチ１２に出力する。
【００４５】
ここで、フロントエンド回路１１ａ〜１１ｎの各々は、ぞれぞれが備えるＲＦ−ＡＧＣにおける増幅率を示すＲＦ−ＡＧＣ電圧１７ａ〜１７ｎ（以下、総称する場合はＲＦ−ＡＧＣ電圧１７とする）を、制御部１４に出力する。
【００４６】
制御部１４は、フロントエンド部１１より入力した各ＲＦ−ＡＧＣ電圧１７を比較し、最も増幅率が小さいフロントエンド回路を特定する。さらに、制御部１４は、最も増幅率が小さいフロントエンド回路と、デジタル復調部１３とを接続するように、スイッチ１２に制御信号を出力する。制御部１４より制御信号を入力したスイッチ１２は、最も増幅率が小さいフロントエンド回路より出力された、１つのＩＦ信号１６を、デジタル復調部１３に出力する。なお、制御部１４の詳細な構成および動作は後述とする。
【００４７】
次に、デジタル復調部１３は、内部に備えるＯＦＤＭ（Orthogonal  Frequency  Division  Multiplexing：直行周波数分割変調）復調回路１５を用いて、入力した１つのＩＦ信号１６をデジタル信号に復調する。この復調されたデジタル信号は、ＴＳ信号として外部に出力される。
【００４８】
ここで、注目すべきは、フロントエンド部回路１１ａ〜１１ｎが備えるＲＦ−ＡＧＣは、放送信号を周波数変換し生成した中間周波数信号を、予め定められた信号レベルに増幅することから、ＲＦ−ＡＧＣにおける増幅率が小さければ小さいほど、アンテナ１０が入力した放送信号の信号レベルは大きいことになる。さらに、放送信号の信号レベルが大きければ大きいほど、アンテナ１０が受信した放送電波は受信感度が良い、言い換えれば、受信状態が良好であることを示す。
【００４９】
したがって、本実施形態におけるダイバーシティ装置１は、フロントエンド回路１１ａ〜１１ｎのそれぞれにおける増幅率を比較し、最も増幅率の小さいフロントエンド回路からの１つのＩＦ信号１６をデジタル復調しているため、結果、受信状態が最も良好な放送信号を選択していることになる。これにより、ダイバーシティ装置１は、ＣＮ比の大きい、良好なＴＳ信号を出力できる。
【００５０】
以上のように、本実施形態におけるダイバーシティ装置１は、複数のＩＦ信号１６より、受信状態が最も良好なアンテナ１０に対応したＩＦ信号１６を選択し、選択した１つのＩＦ信号１６を、ＯＦＤＭ復調回路１５が、デジタル信号に復調している。このため、ダイバーシティ装置１は、アンテナ１０の数に対応する複数のＯＦＤＭ復調回路１５を備える必要がないため、小型化可能となる。
【００５１】
さらに、制御部１４は、各フロントエンド回路１１ａ〜１１ｎからのＲＦ−ＡＧＣ電圧１７を比較し、この比較結果に基づきスイッチ１２を切替える構成であるため、汎用的な、言い換えれば、単純な回路によって実現可能である。したがって、制御部１４を備えるダイバーシティ装置は、より小型化となる。
【００５２】
（制御部１４の構成）
次に、図２を参照して、制御部１４の構成を以下に説明する。図２は、制御部１４の構成を示すブロック図である。
【００５３】
図２に示すように、制御部１４は、フロントエンド部１１からのＲＦ−ＡＧＣ電圧１７ａ〜１７ｎのそれぞれに対応する、Ａ／Ｄ変換部（Analog  to  Digital変換部）１８ａ〜１８ｎ（以下、総称する場合はＡ／Ｄ変換部１８とする）と、論理回路１９とを備えている。
【００５４】
（制御部１４の動作）
次に、図２を参照して、制御部１４の動作について説明する。まず、フロントエンド部１１より入力したＲＦ−ＡＧＣ電圧１７ａ〜１７ｎを、Ａ／Ｄ変換部１８ａ〜１８ｎのそれぞれが入力する。ここで、ＲＦ−ＡＧＣ電圧１７はアナログ信号であるため、Ａ／Ｄ変換部１８は、ＲＦ−ＡＧＣ電圧１７をデジタル信号に変換し、論理回路１９に出力する。さらに、デジタル信号に変換されたＲＦ−ＡＧＣ電圧１７ａ〜１７ｎを、論理回路１９が比較する。ここで、論理回路１９は、自身の比較結果に基づき、増幅率が最も小さいフロントエンド回路と、デジタル復調部１３とが接続するようにスイッチ１２を制御する制御信号を出力する。
【００５５】
〔比較例〕
上記実施形態１に対する比較例として、アンテナの数と同数のＯＦＤＭ復調回路１１５ａ〜１１５ｎを備えた、従来のダイバーシティ装置１００について、図８を参照して以下に説明する。図８は、従来例におけるダイバーシティ装置１００の構成を示すブロック図である。
【００５６】
（ダイバーシティ装置１００の構成）
図８に示すように、ダイバーシティ装置１００は、複数のアンテナ１１０ａ〜１１０ｎ（以下、総称する場合はアンテナ１１０とする）と、各アンテナ１１０からの各々の放送信号を、周波数変換および増幅しＩＦ信号１１６ａ〜１１６ｎ（以下、総称する場合はＩＦ信号１１６とする）を生成するフロントエンド回路１１１ａ〜１１１ｎを備えるフロントエンド部１１１と、フロントエンド部１１１からの各ＩＦ信号１１６をデジタル信号に復調する、複数のＯＦＤＭ復調回路１１５ａ〜１１５ｎ（以下、総称する場合はＯＦＤＭ復調回路１１５とする）を備えるデジタル復調部１１３と、上記デジタル復調部１１３からの複数のデジタル信号のうち、１つのデジタル信号を選択し、外部に出力するスイッチ１１２と、スイッチ１１２を制御する制御部１１４と、を備えている。
【００５７】
（ダイバーシティ装置１００の動作）
次に、ダイバーシティ装置１００の動作について説明する。まず、アンテナ１１０ａ〜１１０ｎの各々が受信した複数の放送信号を、フロントエンド回路１１１ａ〜１１１ｎのそれぞれが、周波数変換および増幅を行い、各放送信号に対応したＩＦ信号１１６ａ〜１１６ｎを生成する。次に、フロントエンド部１１１より出力された複数のＩＦ信号１１６は、デジタル復調部１１３が備えるＯＦＤＭ復調回路１１５ａ〜１１５ｎによって、デジタル信号に復調される。スイッチ１２は、制御部１１４からの制御信号に基づき、各ＯＦＤＭ復調回路１１５からの複数のデジタル信号のうち、１つのデジタル信号を選択する。
【００５８】
ここで、制御部１１４は、ＯＦＤＭ復調回路１１５ａ〜１１５ｎより、復調時における誤り訂正率（ＢＥＲ：Bit  Error  Rate）または、各ＩＦ信号１１６のＣＮ比からなる、各アンテナ１０の受信状態を示す複数の受信情報を入力する。ここで、制御部１１４は、入力した複数の受信情報を比較し、最も受信状態が良好な、言い換えれば、ＢＥＲが最も小さいまたはＣＮ比が最も大きい、ＯＦＤＭ復調回路１１５を特定する。さらに、制御部１１４は、スイッチ１１２に対して、特定したＯＦＤＭ復調回路１１５からの１つのデジタル信号を、ＴＳ信号として外部に出力するように、制御信号を出力する。
【００５９】
以上のように、従来例のダイバーシティ装置１００においては、アンテナ１１０の数と同数のＯＦＤＭ復調回路１１５を備え、各ＯＦＤＭ復調回路１１５からの受信状態を示す受信情報を用いることにより、受信状態が最も良好なアンテナが受信した放送信号より生成されたデジタル信号を選択し出力できる。
【００６０】
しかしながら、ダイバーシティ装置１００においては、各ＯＦＤＭ復調回路１１５を制御し、各ＯＦＤＭ復調回路１１５より出力されるデジタル信号を切替るために、複雑な受信制御が必要になる。さらに、受信情報を用いて、受信状態が最も良好なアンテナが受信した放送信号より生成されたデジタル信号を選択するためには、各ＯＦＤＭ復調回路１１５を、アンテナ１０の数と同数備える必要があり、このため、複数のＯＦＤＭ復調回路１１５が部品実装スペースを占有し、ダイバーシティ装置１００の小型化が制約される。
【００６１】
なお、以上に説明した実施形態１においては、アンテナ１０が受信する少なくとも１つ以上の放送信号が、一定の信号レベルを超えるものであることを前提としている。具体的には、アンテナ１０が受信する複数の放送信号の全てが、一定の信号レベル以下の場合、フロントエンド回路１１ａ〜１１ｎが備える全てのＲＦ−ＡＧＣにおいて、増幅率が最大となり、言い換えれば、各ＲＦ−ＡＧＣにおける増幅率が全て同じ値となってしまう。
【００６２】
そこで、本発明においては、アンテナ１０が受信する複数の放送信号の全てが、一定の信号レベル以下の場合に対応する、ダイバーシティ装置を、以下の、実施形態２および３において説明する。
【００６３】
なお、以下の実施形態２および３においては、上記の実施形態１と異なる構成について説明し、重複する構成については、実施形態１と同じ部材番号を付し、その説明を省略する。
【００６４】
〔実施形態２〕
（ダイバーシティ装置２の構成）
以下に、本実施形態２に係る、ダイバーシティ装置２の構成を、図３を参照して以下に説明する。図３は、本発明の一実施形態に係るダイバーシティ装置２の構成を示すブロック図である。
【００６５】
図３に示すように、ダイバーシティ装置２は、実施形態１と比較して、ＩＦ信号１６ａ〜１６ｎの各々を増幅するＩＦ−ＡＧＣ（Intermediate  Frequency  Auto  Gain  Control）２３ａ〜２３ｎ（以下、総称する場合はＩＦ−ＡＧＣ２３とする）をさらに備え、実施形態１における制御部１４の代わりに、フロントエンド部１１からのＲＦ−ＡＧＣ電圧１７およびＩＦ−ＡＧＣ２３からのＩＦ−ＡＧＣ電圧２１を入力する制御部２４（比較手段、増幅率比較手段）を備えている。また、本実施形態２において、スイッチ１２は、ＩＦ−ＡＧＣ２３によって増幅されたＩＦ信号２２ａ〜２２ｎを入力している。なお、上記のＩＦ−ＡＧＣ電圧２１とは、ＩＦ−ＡＧＣ２３における増幅率を示す信号である。
【００６６】
（ダイバーシティ装置２の動作）
まず、アンテナ１０ａ〜１０ｎが受信した各放送信号は、フロントエンド部１１において、ＩＦ信号１６ａ〜１６ｎに変換される。さらに、ＩＦ−ＡＧＣ２３ａ〜２３ｎ（増幅手段）のぞれぞれは、対応するＩＦ信号１６ａ〜１６ｎを所定のレベルに増幅し、増幅したＩＦ信号２２ａ〜２２ｎをスイッチ１２に出力する。
【００６７】
ここで、アンテナ１０が受信する少なくとも１つ以上の放送信号が、一定の信号レベルを超えている場合、制御部２４は、フロントエンド回路１１ａ〜１１ｎより出力されるＲＦ−ＡＧＣ電圧１７ａ〜１７ｎを比較し、この比較結果に基づき、増幅率が最も小さいフロントエンド回路に接続されるＩＦ−ＡＧＣ２３からのＩＦ信号２２を、デジタル復調部１３に出力するようにスイッチ１２を制御する。
【００６８】
一方、アンテナ１０が受信する放送信号の全てが、一定の信号レベル以下の場合、フロントエンド回路１１ａ〜１１ｎにおける増幅率は、全て最大の値、言い換えれば、全て同じ値となる。これにより、フロントエンド部１１より出力されるＩＦ信号１６ａ〜１６ｎは、予め定められた所望の信号レベル以下である。このＩＦ信号１６ａ〜１６ｎの各々を入力したＩＦ−ＡＧＣ２３ａ〜２３ｎは、予め定められた所望の信号レベルに、ＩＦ信号１６ａ〜１６ｎを増幅し、増幅したＩＦ信号２２ａ〜２２ｎをスイッチ１２に出力する。
【００６９】
ここで、制御部２４は、フロントエンド回路１１ａ〜１１ｎより、ＲＦ−ＡＧＣ電圧１７ａ〜１７ｎと、ＩＦ−ＡＧＣ２３ａ〜２３ｎより、ＩＦ−ＡＧＣ２３ａ〜２３ｎの各々の増幅率を示すＩＦ−ＡＧＣ電圧２１ａ〜２１ｎとを入力している。
【００７０】
制御部２４は、入力したＲＦ−ＡＧＣ電圧１７ａ〜１７ｎおよびＩＦ−ＡＧＣ電圧２１ａ〜２１ｎを用いて、スイッチ１２を制御する。具体的には、制御部２４は、ＲＦ−ＡＧＣ電圧１７ａ〜１７ｎを比較し、ＲＦ−ＡＧＣ電圧１７〜１７ｎが、全て同じ増幅率を示す場合、ＩＦ−ＡＧＣ電圧２１ａ〜２１ｎを比較し、増幅率が最も小さいＩＦ−ＡＧＣ２３を特定する。さらに制御部２４は、増幅率が最も小さいＩＦ−ＡＧＣ２３からのＩＦ信号２２を、スイッチ１２が選択し、デジタル復調部１３に出力するように、スイッチ１２を制御する。
【００７１】
ここで、増幅率が最も小さいＩＦ−ＡＧＣ２３に入力されるＩＦ信号１６は、受信状態が最も良いアンテナからの放送信号を、フロントエンド部１１によって変換されたＩＦ信号１６である。具体的には、ＩＦ−ＡＧＣ２３は、予め定めれた所望の信号レベルに、ＩＦ信号１６を増幅する。したがって、ＩＦ−ＡＧＣ２３における増幅率が小さければ小さいほど、ＩＦ信号１６の信号レベルが大きいことになる。さらに、アンテナ１０が受信する複数の放送信号の全てが、一定の信号レベル以下の場合、フロントエンド回路１１ａ〜１１ｎにおける各増幅率は、すべて同じ値であるため、ＩＦ信号１６の信号レベルが大きければ大きいほど、フロントエンド部１１に入力される放送信号の信号レベルも大きいことになる。ここで、放送信号の信号レベルが大きければ大きいほど、アンテナ１０が受信した放送電波は受信感度が良い、言い換えれば、受信状態が良好であることを示す。
【００７２】
以上のように、本実施形態２におけるダイバーシティ装置２は、アンテナ１０の各々が受信する複数の放送信号の全てが、一定の信号レベル以下であり、フロントエンド回路１１ａ〜１１ｎにおける増幅率が、全て同じ値となった場合においても、受信状態が最も良い放送信号を選択できる。
【００７３】
（制御部２４の構成）
次に、図４を参照して、制御部２４の構成を以下に説明する。図４は、制御部２４の構成を示すブロック図である。
【００７４】
図４に示すように、制御部２４は、フロントエンド部１１からのＲＦ−ＡＧＣ電圧１７ａ〜１７ｎにそれぞれに対応する、Ａ／Ｄ変換部１８ａ〜１８ｎと、ＩＦ−ＡＧＣからのＩＦ−ＡＧＣ電圧２１ａ〜２１ｎにそれぞれ対応する、Ａ／Ｄ変換部２８ａ〜２８ｎとを備えている。
【００７５】
（制御部２４の動作）
まず、フロントエンド部１１より入力したＲＦ−ＡＧＣ電圧１７ａ〜１７ｎを、Ａ／Ｄ変換部１８ａ〜１８ｎのぞれぞれが入力する。さらに、ＩＦ−ＡＧＣ２３より入力したＩＦ−ＡＧＣ電圧２１ａ〜２１ｎを、Ａ／Ｄ変換部２８ａ〜２８ｎのぞれぞれが入力する。次に、各Ａ／Ｄ変換部１８ａ〜１８ｎおよび各Ａ／Ｄ変換部２８ａ〜２８ｎは、ＲＦ−ＡＧＣ電圧１７ａ〜１７ｎおよびＩＦ−ＡＧＣ電圧２１ａ〜２１ｎを、それぞれデジタル信号に変換し、論理回路２９に出力する。さらに、デジタル信号に変換された、ＲＦ−ＡＧＣ電圧１７ａ〜１７ｎを、論理回路２９は比較する。ここで、論理回路２９は、ＲＦ−ＡＧＣ電圧１７ａ〜１７ｎを比較した結果、フロントエンド回路１１ａ〜１１ｎにおける増幅率が、全て同じ値であると判定した場合、デジタル信号に変換されたＩＦ−ＡＧＣ電圧２１ａ〜２１ｎを比較する。さらに論理回路２９は、ＩＦ−ＡＧＣ電圧２１ａ〜２１ｎを比較した比較結果に基づき、増幅率が最も小さいＩＦ−ＡＧＣ２３と、デジタル復調部１３とが接続するようにスイッチ１２を制御する制御信号を出力する。
【００７６】
〔実施形態３〕
（ダイバーシティ装置３の構成）
次に、実施形態３に係るダイバーシティ装置３の構成を、図５を参照して以下に説明する。図５は、本発明の一実施形態に係るダイバーシティ装置３の構成を示すブロック図である。なお、本実施形態３においては、実施形態２と重複する構成については、同じ部材番号を付し、その説明を省略する。
【００７７】
図５に示すように、ダイバーシティ装置３は、実施形態２と比較して、ＩＦ信号１６ａ〜１６ｎの各々の信号レベルを検出するレベル検出部３２ａ〜３２ｎ（以下、総称する場合はレベル検出部３２とする）をさらに備え、実施形態２における制御部２４の代わりに、フロントエンド部１１からのＲＦ−ＡＧＣ電圧１７およびレベル検出部３２からの信号レベ情報３１を入力する制御部３４（比較手段、レベル比較手段）を備えている。
【００７８】
（ダイバーシティ装置３の動作）
まず、アンテナ１０ａ〜１０ｎが受信した各放送信号は、フロントエンド部１１において、ＩＦ信号１６ａ〜１６ｎに変換される。さらに、レベル検出部３２ａ〜３２ｎ（検出手段）のそれぞれは、対応するＩＦ信号１６ａ〜１６ｎの信号レベルを検出する。レベル検出部３２ａ〜３２ｎは、検出したＩＦ信号１６ａ〜１６ｎの各信号レベルを示す信号レベル情報３１ａ〜３１ｎを、制御部３４に出力する。
【００７９】
ここで、アンテナ１０が受信する少なくとも１つ以上の放送信号が、一定の信号レベルを超えている場合、制御部３４は、フロントエンド回路１１ａ〜１１ｎより出力されるＲＦ−ＡＧＣ電圧１７ａ〜１７ｎを比較し、この比較結果に基づき、増幅率が最も小さいフロントエンド回路に、レベル検出部３２を介して接続されるＩＦ−ＡＧＣ２３からのＩＦ信号２２を、デジタル復調部１３に出力するようにスイッチ１２を制御する。
【００８０】
一方、実施形態２において説明したとおり、アンテナ１０が受信する放送信号の全てが、一定の信号レベル以下の場合、フロントエンド回路１１ａ〜１１ｎにおける増幅率は、全て最大の値、言い換えれば、全て同じ値となる。
【００８１】
ここで、制御部３４は、フロントエンド回路１１ａ〜１１ｎより、ＲＦ−ＡＧＣ電圧１７ａ〜１７ｎと、レベル検出部３２ａ〜３２ｎより、ＩＦ信号１６ａ〜１６ｎの各々の信号レベルを示す信号レベル情報３１ａ〜３１ｎとを入力している。
【００８２】
制御部３４は、入力したＲＦ−ＡＧＣ電圧１７ａ〜１７ｎおよび信号レベル情報３１ａ〜３１ｎを用いて、スイッチ１２を制御する。具体的には、制御部３４は、ＲＦ−ＡＧＣ電圧１７ａ〜１７ｎを比較し、ＲＦ−ＡＧＣ電圧１７ａ〜１７ｎが、全て同じ増幅率を示す場合、信号レベル情報３１ａ〜３１ｎを比較し、信号レベルが最も大きいＩＦ信号１６を特定する。さらに制御部３４は、スイッチ１２に対して、信号レベルが最も大きいＩＦ信号１６を増幅したＩＦ信号２３を選択し、デジタル復調部１３に出力するように、制御信号を出力する。
【００８３】
なお、信号レベルが最も大きいＩＦ信号１６は、受信状態が最も良いアンテナからの放送信号を、フロントエンド部１１によって変換されたＩＦ信号１６であることは、実施形態２において説明したとおりである。
【００８４】
以上のように、本実施形態３におけるダイバーシティ装置３は、アンテナ１０の各々が受信する複数の放送信号の全てが、一定の信号レベル以下であり、フロントエンド回路１１ａ〜１１ｎにおける増幅率が、全て同じ値となった場合においても、受信状態が最も良い放送信号を選択できる。
【００８５】
なお、制御部３４における構成および動作処理については、実施形態２における制御部２４において、制御部２４が入力するＩＦ−ＡＧＣ電圧２１ａ〜２１ｎの代わりに、レベル検出部３２からの信号レベル情報３１ａ〜３１ｎを入力し、その他に構成および動作処理については、制御部２４と同様であるため、ここでは、その説明を省略する。
【００８６】
また、実施形態３におけるダイバーシティ装置３においては、レベル検出部３２ａ〜３２ｎより出力されるＩＦ信号１６ａ〜１６ｎの各々の信号レベルを増幅する、複数のＩＦ−ＡＧＣ２３ａ〜２３ｎを備える構成としたが、本発明はこれに限るものではなく、受信状態が最も良好な放送信号より生成されたＩＦ信号１６を、スイッチ１２が選択した後、選択後の１つのＩＦ信号１６を、１つのＩＦ−ＡＧＣが、予め定めれた所望の信号レベルに増幅し、デジタル復調部１３に出力する構成としてもよい。これにより、ダイバーシティ装置３が備えるＩＦ−ＡＧＣ２３の数を減少させることが可能となり、ダイバーシティ装置３をより小型化できるという効果を奏する。
【００８７】
〔実施形態４〕
次に、本発明の実施形態４に係る、ダイバーシティ装置４について、図６を参照して以下に説明する。図６は、本実施形態４に係るダイバーシティ装置４の構成を示すブロック図である。
【００８８】
まず、本実施形態４に係るダイバーシティ装置４は、実施形態１のダイバーシティ装置１に、デジタル復調部１３によって復調されたデジタル信号を記憶する、デジタル信号記憶部４１をさらに備えたものである。なお、本実施形態４においては、実施形態１と異なる構成について説明し、重複する構成については、実施形態１と同じ部材番号を付し、その説明を省略する。
【００８９】
（ダイバーシティ装置４の構成）
図６に示すように、ダイバーシティ装置４は、実施形態１のダイバーシティ装置１に対して、デジタル復調部１３によって復調されたデジタル信号を記憶する、デジタル信号記憶部４１を、さらに備えた構成となっている。
【００９０】
（ダイバーシティ装置４の動作）
次に、ダイバーシティ装置４の動作について説明する。まず、ダイバーシティ装置４において、受信状態が最も良好な放送信号より生成されたＩＦ信号１６を、スイッチ１２が選択する。スイッチ１２によって選択されたＩＦ信号１６は、デジタル復調部１３によってデジタル信号に復調され、デジタル信号記憶部４１に出力される。
【００９１】
さらに、デジタル信号記憶部４１は、デジタル復調部１３より入力したデジタル信号を、一定期間記憶すると共に、入力したデジタル信号をＴＳ信号として外部に出力する。
【００９２】
ここで、例えば、最も受信状態の良好なアンテナ１０が受信した放送信号が、他のアンテナ１０が受信した放送信号に切り替わった場合、言い換えれば、制御部１４が、スイッチ１２を切替えた場合、デジタル復調部１３が出力するデジタル信号が途切れることになる。しかしながら、ダイバーシティ装置４は、デジタル復調部１３からのデジタル信号を、一定期間記憶するデジタル信号記憶部４１を備えているため、スイッチ１２の切り替わりに起因してデジタル信号に途切れが発生したとしても、途切れたデジタル信号の代わりとして、デジタル信号記憶部４１が記憶するデジタル信号を割り当てる。結果、ダイバーシティ装置４は、最も受信状態の良好なアンテナ１０が受信した放送信号が、他のアンテナ１０が受信した放送信号に切り替わった場合においても、途切れのないＴＳ信号を出力できるという効果を奏する。
【００９３】
なお、本実施形態４においては、実施形態１のダイバーシティ装置１にデジタル信号記憶部４１を備えた構成としてたが、本発明はこれに限るものではなく、実施形態２および３において説明したダイバーシティ装置２および３が、デジタル信号記憶部４１を備える構成としてもよい。
【００９４】
〔実施形態５〕
次に、本発明の実施形態５に係る、ダイバーシティ装置５について、図７を参照して以下に説明する。図７は、本実施形態５に係るダイバーシティ装置５の構成を示すブロック図である。なお、本実施形態５においては、実施形態１と異なる構成について説明し、重複する構成については、実施形態１と同じ部材番号を付し、その説明を省略する。
【００９５】
（ダイバーシティ装置５の構成）
図７に示すように、ダイバーシティ装置５は、複数のアンテナ１０ａ〜１０ｎと、複数のフロントエンド回路１１ａ〜１１ｎを備えるフロントエンド部１１と、フロントエンド部１１からの複数のＩＦ信号１６のうち、２つのＩＦ信号１６を選択するスイッチ５２（選択手段）と、スイッチ５２を制御する制御部５４と、スイッチ５２が選択した一方のＩＦ信号１６を復調するデジタル復調部１３ａと、スイッチ１２が選択したもう一方のＩＦ信号１６を復調するデジタル復調部１３ｂと、デジタル復調部１３ａおよび１３ｂより、復調された２つのデジタル信号を記憶するデジタル信号記憶部５１とを備えている。
【００９６】
（ダイバーシティ装置５の動作）
次に、ダイバーシティ装置５の動作について説明する。まず、アンテナ１０の各々が受信した放送信号を、フロントエンド回路１１ａ〜１１ｎは、周波数変換および増幅を行い、各放送信号に対応したＩＦ信号１６ａ〜１６ｎを、スイッチ５２に出力する。スイッチ５２は、制御部５４からの制御信号に基づき、入力した複数のＩＦ信号１６のうち、２つのＩＦ信号１６を選択する。さらにスイッチ５２は、選択した一方のＩＦ信号１６を、デジタル復調部１３ａに出力し、選択したもう一方のＩＦ信号１６を、デジタル復調部１３ｂに出力する。
【００９７】
また、制御部５４は、フロントエンド回路１１ａ〜１１ｎより、ＲＦ−ＡＧＣ電圧１７ａ〜１７ｎを入力し、比較する。ここで、制御部５４は、入力したＲＦ−ＡＧＣ電圧１７より、最も増幅率の小さいフロントエンド回路と、２番目に増幅率の小さいフロントエンド回路を特定し、この２つのフロントエンド回路より出力される２つのＩＦ信号１６を、スイッチ５２が選択するように、制御信号をスイッチ５２に対して出力する。
【００９８】
次に、デジタル復調部１３ａは、自身が備えるＯＦＤＭ復調回路１５ａ（第１の復調手段）によって、スイッチ５２からのＩＦ信号１６を復調し、復調したデジタル信号をデジタル信号記憶部５１に出力する。また、デジタル復調部１３ｂは、自身が備えるＯＦＤＭ復調回路１５ｂ（第２の復調手段）によって、スイッチ５２からのＩＦ信号１６を復調し、復調したデジタル信号をデジタル信号記憶部５１に出力する。
【００９９】
次に、デジタル信号記憶部５１は、デジタル復調部１３ａおよび１３ｂからのデジタル信号を、自身の内部に備えるメモリに記憶する。さらに、デジタル信号記憶部５１は、増幅率が最も小さいフロントエンド回路からのＩＦ信号１６に対応する、デジタル信号を、ＴＳ信号として外部に出力する。ここで、デジタル信号記憶部５１は、デジタル復調部１３ａまたは１３ｂのどちらからのデジタル信号が、増幅率が最も小さいフロントエンド回路からのＩＦ信号１６に対応するデジタル信号であるかを判定するために、増幅率が最も小さいフロントエンド回路からのＩＦ信号１６を、スイッチ５２が、デジタル復調部１３ａまたは１３ｂのどちらに出力したかを示す情報を、制御部５４より、入力している。
【０１００】
以上のように、受信状態が最も良好なアンテナ１０に対応するＩＦ信号１６を、デジタル復調するだけでなく、受信状態が２番目に良好なアンテナ１０に対応するＩＦ信号１６を、デジタル復調することにより、受信状態が最も良好であったアンテナ１０の受信状態が、受信状態が２番目に良好であったアンテナ１０の受信状態より悪化した場合、出力するＴＳ信号として、受信状態が２番目に良好であったアンテナ１０からの放送信号に対応するデジタル信号に、瞬時に切替えることができる。これにより、受信状態が最も良好なアンテナ１０が他のアンテナ１０に切り替わったとしても、出力するＴＳ信号のデータ途切れを防止できる。さらに、２つのデジタル信号をデジタル記憶部５１が記憶することにより、アンテナ１０が受信する放送信号と、出力するＴＳ信号との時間差（タイムラグ）を小さくできる。
【０１０１】
なお、本実施形態５においては、フロントエンド回路１１ａ〜１１ｎからのＲＦ−ＡＧＣ電圧１７を制御部５４が比較し、この比較結果に基づき、スイッチ５２が２つのＩＦ信号１６を選択する構成としたが、本発明はこれに限るものではなく、実施形態２および３に示した、ＩＦ−ＡＧＣ２３ａ〜２３ｎおよびレベル検出部３２ａ〜３２ｎをさらに備え、制御部５４が、ＩＦ−ＡＧＣ電圧２１または信号レベル情報３１を比較し、ＲＦ−ＡＧＣ１７が全て同じ値、言い換えれば、フロントエンド回路１１ａ〜１１ｎにおける増幅率が全て同じ値であった場合、ＩＦ−ＡＧＣ電圧２１または信号レベル情報３１の比較結果に基づき、スイッチ５２を切替える構成としてもよい。
【０１０２】
なお、本実施形態１〜５においては、フロントエンド回路１１ａ〜１１ｎにおいて、放送信号を周波数変換してＩＦ信号１６を生成する構成としたが、本発明はこれに限るものではなく、フロントエンド回路１１ａ〜１１ｎは、放送信号を、互いに９０度の位相差を有するＩ信号およびＱ信号からなるベースバンド信号にダイレクト変換するＩ／Ｑ直交検波器を備え、放送信号をダイレクトにベースバンド信号に変換するものであってもよい。
【０１０３】
さらに、本実施形態においては、アンテナ１０が受信する信号を、放送電波に基づく放送信号としたが、本発明はこれに限るものではなく、携帯電話等に使用される放送電波以外の電波信号を、アンテナ１０が受信する構成としてもよい。
【０１０４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０５】
なお、本発明のダイバーシティ装置を以下のように構成してもよい。
【０１０６】
（第１構成）
複数の入力端子と、前記複数の入力端子からそれぞれ受信した放送波を増幅し周波数変換して安定した中間周波数信号を出力する、第１の可変利得増幅器を備えた複数のフロントエンド部と、前記複数のフロントエンド部の第１の可変利得増幅器の増幅度をそれぞれ比較し、最も受信状態の良好なフロントエンド部の中間周波数信号を選択し、出力する制御部を備える、ダイバーシティ受信装置。
【０１０７】
（第２構成）
複数の入力端子と、前記複数の入力端子からそれぞれ受信した放送波を互いに90度の位相差を有するＩ信号とＱ信号の２つのベースバンド信号に変換する、第１の可変利得増幅器を備えた複数のフロントエンド部と、前記複数のフロントエンド部の第１の可変利得増幅器の増幅度をそれぞれ比較し、最も受信状態の良好なフロントエンド部のベースバンド信号を選択し、出力する制御部を備える、ダイバーシティ受信装置。
【０１０８】
（第３構成）
前記複数のフロントエンド部からそれぞれ出力された中間周波数信号ないしベースバンド信号を検波する検波回路を備え、各出力信号の信号レベルを比較し、もっとも信号レベルが高い中間周波数信号ないしベースバンド信号だけを選択し、デジタル復調することを特徴とする第１構成または第２構成に記載のダイバーシティ受信装置。
【０１０９】
（第４構成）
前記複数のフロントエンド部から出力された中間周波数信号ないしベースバンド信号をそれぞれ増幅する第２の可変利得増幅器を備え、前記第２の増幅器の増幅度をそれぞれ比較し、最も受信状態の良好なフロントエンド部の中間周波数信号ないしベースバンド信号だけを選択し、デジタル復調することを特徴とする第１構成から第３構成のいずれか１つの構成に記載のダイバーシティ受信装置。
【０１１０】
（第５構成）
前記複数のフロントエンド部のうち最も受信状態の良好なフロントエンド部から出力される中間周波数信号ないしベースバンド信号をデジタル復調して出力されたデジタル信号を、一定期間記憶する記憶装置を備えたことを特徴とする第１構成から第４構成のいずれか１つの構成に記載のダイバーシティ受信装置。
【０１１１】
（第６構成）
デジタル復調回路を２系統備え、最も受信状態の良好なフロントエンド部からの中間周波数信号ないしベースバンド信号を第１のデジタル復調回路で復調し、第２のデジタル復調回路で２番目に受信状態が良好なフロントエンド部からの中間周波数信号ないしベースバンド信号を復調し、前記第１の受信系統の信号状態が前記第２の受信系統の信号状態よりも悪化した場合に、第２の受信系統に切り替えることを特徴とした第１構成から第５構成のいずれか１つの構成に記載のダイバーシティ受信装置。
【産業上の利用可能性】
【０１１２】
本発明は、複数の入力端子より受信した電波信号のうち、最も受信状態が良好な電波信号を選択することができ、特に、複数のアンテナを備えた車載用の放送受信装置などに適用することができる。
【図面の簡単な説明】
【０１１３】
【図１】本発明の一実施形態に係る、ダイバーシティ装置の構成を示すブロック図である。
【図２】本発明の一実施形態に係る、ダイバーシティ装置が備える制御部の構成を示すブロック図である。
【図３】本発明の他の実施形態に係る、ＩＦ−ＡＧＣを備えたダイバーシティ装置の構成を示すブロック図である。
【図４】本発明の他の実施形態に係る、ダイバーシティ装置が備える制御部の構成を示すブロック図である。
【図５】本発明のさらに他の実施形態に係る、レベル検出回路を備えたダイバーシティ装置の構成を示すブロック図である。
【図６】本発明のさらに他の実施形態に係る、デジタル信号記憶部を備えたダイバーシティ装置の構成を示すブロック図である。
【図７】本発明のさらに他の実施形態に係る、２つのデジタル復調部を備えたダイバーシティ装置の構成を示すブロック図である。
【図８】従来の比較例に係る、ダイバーシティ装置の構成を示すブロック図である。
【符号の説明】
【０１１４】
１      ダイバーシティ装置
２      ダイバーシティ装置
３      ダイバーシティ装置
４      ダイバーシティ装置
５      ダイバーシティ装置
１０    アンテナ（入力端子）
１１ａ  フロントエンド回路（信号変換手段）
１１ｂ  フロントエンド回路（信号変換手段）
１１ｎ  フロントエンド回路（信号変換手段）
１２    スイッチ（選択手段）
１４    制御部（比較手段）
１５    ＯＦＤＭ復調回路（第１の復調手段）
１５ａ  ＯＦＤＭ復調回路（第１の復調手段）
１５ｂ  ＯＦＤＭ復調回路（第２の復調手段）
１６    ＩＦ信号（出力信号）
２３    ＩＦ−ＡＧＣ（増幅手段）
２４    制御部（比較手段、増幅率比較手段）
３２    レベル検出部（レベル検出手段）
３４    制御部（比較手段、レベル比較手段）
４１    デジタル信号記憶部（記憶手段）
５１    デジタル信号記憶部（記憶手段）
５２    スイッチ（選択手段）
５４    制御部（比較手段）
【図１】
2009060178.tif 000003
【図２】
2009060178.tif 000004
【図３】
2009060178.tif 000005
【図４】
2009060178.tif 000006
【図５】
2009060178.tif 000007
【図６】
2009060178.tif 000008
【図７】
2009060178.tif 000009
【図８】
2009060178.tif 000010